(57)【要約】【課題】利用者の生活行動改善のためのモチベーションの維持、向上を図る。【解決手段】体組成計１０（情報処理装置）の制御部２０は、利用者が自己の身体情報を計測する際に計測習慣に関する計測情報を取得し、その計測情報を用いて利用者の自己の健康に対する意識レベルを判定し、健康意識レベルに応じた健康に関する情報を利用者に報知する。【選択図】図５
2018166886.tif 000002
【特許請求の範囲】
【請求項１】
利用者が自己の身体情報を計測する際の計測習慣に関する計測情報を取得する取得手段と、
前記取得手段が取得した計測情報に基づいて前記利用者の自己の健康に対する意識レベルを判定する判定手段と、
前記意識レベルに応じた健康に関する情報を前記利用者に報知する報知手段と、
を備えることを特徴とする情報処理装置。
【請求項２】
請求項１に記載の情報処理装置であって、
前記計測情報は、前記利用者が自己の身体情報を計測する際の計測頻度及び規則性の少なくともいずれか一方を示すパターン指標を含む、
情報処理装置。
【請求項３】
請求項１又は２に記載の情報処理装置であって、
前記計測情報は、前記利用者が自己の身体情報を時系列に計測した複数の計測値に基づいて算出される前記身体情報の変動量を示す変動指標を含む、
情報処理装置。
【請求項４】
請求項１から３のいずれか１項に記載の情報処理装置であって、
前記身体情報は、前記利用者の体重及び生体インピーダンスの少なくともいずれか一方である、
情報処理装置。
【請求項５】
請求項１から３のいずれか１項に記載の情報処理装置であって、
前記計測情報は、前記利用者が自己の体重を計測する際の荷重の変化を示す乗り方指標を含む、
情報処理装置。
【請求項６】
請求項１から５のいずれか１項に記載の情報処理装置であって、
前記計測情報から特定されるパターンに基づいて前記意識レベルを計る指標としての無精度指標を算出する無精度指標算出手段をさらに備え、
前記判定手段は、前記無精度指標算出手段が算出した前記無精度指標に基づいて前記意識レベルを判定する、
情報処理装置。
【請求項７】
請求項６に記載の情報処理装置であって、
前記無精度指標算出手段は、前記取得手段が取得した計測情報に対して、前記意識レベルへの寄与度に応じた重み付けをする、
情報処理装置。
【請求項８】
請求項１から７のいずれか１項に記載の情報処理装置であって、
前記判定手段が判定した前記意識レベルに応じて、前記報知手段における前記健康に関する情報の量及び専門性の高さの少なくとも一方を変更する制御手段をさらに備える、
情報処理装置。
【請求項９】
請求項１から８のいずれか１項に記載の情報処理装置であって、
前記計測情報の変動原因を判定する変動原因判定手段をさらに備え、
前記報知手段は、前記変動原因判定手段が判定した前記変動原因に応じた健康に関する情報を前記利用者に報知する、
情報処理装置。
【請求項１０】
利用者が自己の身体情報を計測する際の計測習慣に関する計測情報を処理するコンピュータに、
前記計測情報に基づいて前記利用者の自己の健康に対する意識レベルを判定する判定ステップと、
前記意識レベルに応じた健康に関する情報を前記利用者に報知する報知ステップと、
を実行させるためのプログラム。
【請求項１１】
利用者が自己の身体情報を計測する際の計測習慣に関する計測情報を取得する取得ステップと、
前記計測情報に基づいて前記利用者の自己の健康に対する意識レベルを判定する判定ステップと、
前記意識レベルに応じた健康に関する情報を前記利用者に報知する報知ステップと、
を含むことを特徴とする情報処理方法。
【発明の詳細な説明】
【技術分野】
【０００１】
本発明は、利用者の自己の健康に関する情報を報知する情報処理装置、情報処理方法及びプログラムに関する。
【背景技術】
【０００２】
情報処理装置として、所定期間において利用者の日内の体重変動が基準幅以内であると判定された日数を求め、その所定期間における日数の割合を表示する体重計が提案されている（例えば、特許文献１参照）。
【先行技術文献】
【特許文献】
【０００３】
【特許文献１】特開２００８−３０４４２１号公報
【発明の概要】
【発明が解決しようとする課題】
【０００４】
上記のような体重計の利用者であっても、自己の健康に対する関心の度合いは日々変化していくものである。しかしながら、上述の体重計では、利用者の健康に対する関心の度合いに変化があった場合でも、単に、所定期間における体重変動が少なかった日数の割合が表示されるだけであるため、利用者の生活行動改善のためのモチベーションを維持するのが困難な場合がある。
【０００５】
本発明は、利用者の生活行動改善のためのモチベーションの維持、向上を図る情報処理装置、情報処理方法及びプログラムを提供することを目的とする。
【課題を解決するための手段】
【０００６】
本発明のある態様によれば、情報処理装置は、利用者が自己の身体情報を計測する際の計測習慣に関する計測情報を取得する取得手段と、前記取得手段が取得した計測情報に基づき前記利用者の自己の健康に対する意識レベルを判定する判定手段と、前記意識レベルに応じた健康に関する情報を前記利用者に報知する報知手段と、を備えることを特徴とする。
【０００７】
また、ある態様によれば、前記計測情報は、前記利用者が自己の身体情報を計測する際の計測頻度及び規則性の少なくともいずれか一方を示すパターン指標を含む。
【０００８】
また、ある態様によれば、前記計測情報は、前記利用者が自己の身体情報を時系列に計測した複数の計測値に基づいて算出される前記身体情報の変動量を示す変動指標を含む。
【０００９】
また、ある態様によれば、前記身体情報は、前記利用者の体重及び生体インピーダンスの少なくともいずれか一方である。
【００１０】
また、ある態様によれば、前記計測情報は、前記利用者が自己の体重を計測する際の荷重の変化を示す乗り方指標を含む。
【００１１】
また、ある態様によれば、前記計測情報から特定されるパターンに基づいて前記意識レベルを計る指標としての無精度指標を算出する無精度指標算出手段をさらに備え、前記判定手段は、前記無精度指標算出手段が算出した前記無精度指標に基づいて前記意識レベルを判定する。
【００１２】
また、ある態様によれば、前記無精度指標算出手段は、前記取得手段が取得した計測情報に対して、前記意識レベルへの寄与度に応じた重み付けをする。
【００１３】
また、ある態様によれば、前記判定手段が判定した前記意識レベルに応じて、前記報知手段における前記健康に関する情報の量及び専門性の高さの少なくとも一方を変更する制御手段をさらに備える。
【００１４】
また、ある態様によれば、前記計測情報の変動原因を判定する変動原因判定手段をさらに備え、前記報知手段は、前記変動原因判定手段が判定した前記変動原因に応じた健康に関する情報を前記利用者に報知する。
【００１５】
また、本発明のある態様のプログラムは、利用者が自己の身体情報を計測する際の計測習慣に関する計測情報を処理するコンピュータに、前記計測情報に基づいて前記利用者の自己の健康に対する意識レベルを判定する判定ステップと、前記意識レベルに応じた健康に関する情報を前記利用者に報知する報知ステップと、を実行させる。
【００１６】
また、本発明のある態様によれば、情報処理方法は、利用者が自己の身体情報を計測する際の計測習慣に関する計測情報を取得する取得ステップと、前記計測情報に基づいて前記利用者の自己の健康に対する意識レベルを判定する判定ステップと、前記意識レベルに応じた健康に関する情報を前記利用者に報知する報知ステップと、を含むことを特徴とする。
【発明の効果】
【００１７】
この態様によれば、利用者の自己の健康に対する意識レベルを判定することにより、利用者の意識レベルに合わせた健康に関する情報を利用者に報知することが可能となるので、利用者の生活行動改善のためのモチベーションの維持、向上を図ることができる。
【図面の簡単な説明】
【００１８】
【図１】図１は、本発明の一実施形態における情報処理装置が適用される体組成計の外観を示す図である。
【図２】図２は、一実施形態における情報処理装置が備える機能構成の一例を示すブロック図である。
【図３】図３は、一実施形態における情報処理装置が備える健康意識レベル判定部の機能構成の一例を示す図である。
【図４】図４は、利用者が体組成計へ乗る際の荷重の変化の一例を示す図である。
【図５】図５は、一実施形態における情報処理方法に関する処理手順例を示すフローチャートである。
【図６】図６は、一実施形態における健康意識レベル判定に関する処理手順例を示すフローチャートである。
【図７】図７は、一実施形態において利用者の計測頻度及び規則性を判定するために用いられるテーブルの一例を示す図である。
【図８】図８は、一実施形態において体重及びインピーダンス変動の変動原因を判定するために用いられるテーブルの一例を示す図である。
【図９】図９は、一実施形態における体組成計の表示部に表示される健康に関する情報の一例を示す図である。
【発明を実施するための形態】
【００１９】
以下、添付図面等を参照しながら本発明の実施形態について説明する。本実施形態では、本発明に係る情報処理装置を、体重および体脂肪等の身体情報の計測が可能な体組成計に適用した例について説明する。
【００２０】
図１は、本実施形態に係る体組成計１０の外観を示す図である。図１に示すとおり、体組成計１０は、利用者の生体インピーダンスを計測するための電極部１及び２と、表示部３と、操作部４とを備える。また、体組成計１０は、図１で示す外観には表れていないが、その内部に、利用者の体重を計測するための荷重センサ５と、時刻及び年月日を取得するためのタイマ６とを備える（図２参照）。
【００２１】
電極部１及び２は、利用者の左右の足にそれぞれ電流を流すための通電電極１ａ、２ａと、両足の電圧を計測するための計測電極１ｂ、２ｂとから構成される。また、電極部１及び２は、利用者が体組成計１０に乗った時に、両足のつま先が通電電極１ａ、２ａに、両足の踵が計測電極１ｂ、２ｂにそれぞれ接触するように互いに離間して配置される。
【００２２】
表示部３は、利用者に計測結果等を報知するための報知手段として機能する。表示部３には、例えばＬＣＤ（Liquid Crystal Display）等の液晶表示パネルが採用される。表示する計測結果等の内容の詳細については後述する。
【００２３】
操作部４は、利用者の入力操作を受け付ける入力インターフェースとして機能する。具体的には、操作部４は、複数の操作ボタンから構成されており、身長、性別、年齢等の基礎生体情報を入力するための入力ボタン、及び、体組成計１０の電源をＯＮ／ＯＦＦするための電源ボタン等を含む。なお、表示部３に入力インターフェースとして機能するタッチパネルが採用された場合は、操作部４を削除し、操作部４の機能を表示部３に含ませてもよい。
【００２４】
荷重センサ５は、例えばロードセルであり、体組成計１０の上面から加わる荷重を計測することにより利用者の体重を計測する。また、利用者の体重を単に計測するだけでなく、利用者が体組成計１０に乗った際の荷重の変化を計測することができる。
【００２５】
タイマ６は、現在の年月日、及び時刻を取得する。
【００２６】
図２は、本実施形態における体組成計１０の主要な機能構成を示すブロック図である。
【００２７】
体組成計１０は、その機能構成として、上述した表示部３、操作部４、荷重センサ５、及び、タイマ６に加えて、生体インピーダンス計測部７と、記憶部８と、生体インピーダンス算出部２１及び健康意識レベル判定部２２を含む制御部２０と、を主に備える。
【００２８】
生体インピーダンス計測部７は、通電電極１ａ、２ａに接続された電流供給部７ｘと、計測電極１ｂ、２ｂに接続された電圧計測部７ｙとから構成される。そして、電流供給部７ｘが利用者に通電電極１ａ、２ａを介して交流電流を供給するとともに、電圧計測部７ｙが計測電極１ｂ、２ｂを介して利用者の電圧を計測する。
【００２９】
生体インピーダンス算出部２１は、生体インピーダンス計測部７により供給された電流及び計測された電圧の各値に基づいて利用者の生体インピーダンスを算出し、算出結果を記憶部８に格納する。なお、生体インピーダンスを算出する方法としては、いわゆるＢＩＡ（Bioelectrical impedance analysis;生体電気インピーダンス法）を用いればよく、公知の体組成計と同様で構わない。また、本実施形態においては両足間の生体インピーダンスを計測した例を示しているが、必ずしも両足間である必要はなく、両手間の生体インピーダンスを計測してもよい。
【００３０】
記憶部８は、体組成計１０の動作を制御する制御プログラムが格納されている。すなわち、記憶部８は、本実施形態の情報処理装置の機能を実現するプログラムを格納する記憶媒体として機能する。記憶部８は、不揮発性メモリ（ＲＯＭ；Read Only Memory）、及び揮発性メモリ（ＲＡＭ；Random Access Memory）などにより構成される。
【００３１】
また、記憶部８は、操作部４に入力された基礎生体情報、生体インピーダンス計測部７からの生体インピーダンス情報、及び荷重センサ５からの体重に関する情報を、タイマ６からの時間情報に関連付けて記憶する。
【００３２】
また更に、記憶部８には、利用者の身体及び健康に関する情報、利用者の健康増進に資する情報、及び、利用者の生活の乱れを改善するためのアドバイス等を表示部３に表示するために用いられる文字データ及び画像データ等も記憶されている。
【００３３】
制御部２０は、中央演算処理装置（ＣＰＵ；Central Processing Unit）と、上述したような各機能構成と接続される入出力インターフェースと、これらを相互に接続するバスと、により構成される。制御部２０は、記憶部８に格納されている制御プログラムを読み出して中央演算処理装置に実行させることにより、入出力インターフェースを介して体組成計１０の各部を制御する。
【００３４】
より具体的には、制御部２０は、表示部３、操作部４、荷重センサ５、タイマ６、生体インピーダンス計測部７、記憶部８、生体インピーダンス算出部２１、及び、後述する健康意識レベル判定部２２の各々を制御する。
【００３５】
ここで、健康意識レベル判定部２２を説明する前に、健康意識レベルについて説明する。
【００３６】
本実施形態において使用する「健康意識レベル」は、行動変容ステージモデルという概念に関連する。行動変容ステージモデルとは、人が行動を変える場合には、「無関心期」から始まり、「関心期」、「準備期」、「実行期」を経て「維持期」に至るまで、５つのステージ（行動変容ステージ）を通るという考え方に基づいて創られたモデルである。これらの各ステージでは、自己の行動を変化させることに対する意識の程度（意識レベル）が異なっている。このため、行動変容ステージモデルでは、ステージを先に進ませて人の行動を変えさせるためには、その人が今どのステージにいるかを把握して、それぞれの意識レベルに合わせた働きかけをすることが必要（有効）と考えられている。
【００３７】
すなわち、「健康意識レベル」とは、上記の行動変容ステージを健康に関する生活改善行動に適用させたものであり、利用者が自己の健康をどれだけ意識しているかの指標と定義される。上述の行動変容ステージの考え方に基づけば、利用者の健康意識レベルを判定し、把握することにより、利用者の行動を改善させるためのより適切な働きかけを選択することができる。
【００３８】
本実施形態に係る体組成計１０は、このような考え方に基づいて、利用者の自己の健康に対する意識の高低（健康意識レベル）を判定する健康意識レベル判定部２２を備えることにより、判定した健康意識レベルに応じて選択あるいは作成した健康に関する情報を利用者に提供する。より具体的には、本実施形態に係る体組成計１０は、利用者の健康意識レベルに合わせた、利用者の行動改善に資するより適切なアドバイスを選択あるいは作成して、利用者に提供する。以下、健康意識レベル判定部２２の構成の詳細について説明する。
【００３９】
図３は、健康意識レベル判定部２２の主要な機能構成を示す図である。健康意識レベル判定部２２は、計測頻度・規則性評価部１１と、体重変動算出部１２と、インピーダンス変動算出部１３と、乗り方変動算出部１４と、無精度指標算出部１５と、レベル判定部１６と、を備える。さらに、健康意識レベル判定部２２は、体重変動算出部１２、インピーダンス変動算出部１３、及び乗り方変動算出部１４の各々の算出結果に基づいて、それらの変動の原因を判定する変動原因判定部１７を備える。
【００４０】
計測頻度・規則性評価部１１は、記憶部８に記憶された情報であって利用者が体組成計１０を使用した年月日および時刻に関する情報に基づいて、利用者の計測頻度・規則性（パターン指標）を算出する。ここでの計測頻度は、日単位、あるいは週単位の所定期間における使用回数から算出される。なお所定期間は、例えば月単位等、他の期間であってもよい。規則性は、複数回計測された際の計測日または計測時刻から算出される。算出された利用者の計測頻度・規則性から、利用者による自己の身体情報の計測に関する習慣（計測習慣）を把握することができる。
【００４１】
例えば、把握した計測習慣から、利用者が以前と比べてより多く、より規則的に自己の身体情報を計測していることが分かれば、該利用者の健康意識レベルが向上していると推察することができる。
【００４２】
体重変動算出部１２は、記憶部８に記憶された少なくとも２以上の体重計測値に基づいて、利用者の体重ｘ１の変動値を算出する。ここでの変動値ｘ１（体重変動値ｘ１）は、利用者の体重変動の度合を数値化したものであり、例えば記憶された複数の体重計測値の分散値が用いられる。
【００４３】
インピーダンス変動算出部１３は、記憶部８に記憶された少なくとも２以上の生体インピーダンス計測値に基づいて、利用者のインピーダンスの変動値ｘ２を算出する。ここでの変動値ｘ２（インピーダンス変動値ｘ２）は、利用者のインピーダンス変動の度合を数値化したものであり、体重と同様に、記憶部８に記憶された複数の生体インピーダンス計測値の分散値が用いられる。
【００４４】
乗り方変動算出部１４は、記憶部８に記憶された荷重センサ５の計測データに基づいて、体組成計１０への利用者の乗り方の変動値ｘ３を算出する。変動値ｘ３（乗り方変動値ｘ３）の算出方法について、図４を参照して説明する。
【００４５】
図４は、利用者が体組成計１０に乗った時の荷重センサ５の計測データの変化（乗り方指標）を示す図である。図４の横軸は時間を示し、縦軸は荷重を示している。また、同図のＦは、人が体組成計１０に乗る際の一連の動作における荷重変動の最大値を示し、ｗは、利用者の体重計測値を示している。
【００４６】
同図からわかるように、人の体重が計測される際は、体組成計１０に乗った瞬間から荷重が急峻に増加して最大値Ｆに到達した後、減少と増加を繰り返しながら実際の体重ｗに収束していく。この時、荷重の増加傾き、最大値Ｆ、及び収束するまでの時間等は、体組成計への乗り方によって変動する。例えば雑に勢いよく乗った場合は、増加傾きと最大値Ｆは相対的に大きくなり、値が収束するまでに要する時間は長くなる。逆に、落ち着いてゆっくり乗った場合は、増加傾きと最大値Ｆは相対的に小さくなり、値が収束するまでに要する時間は短くなる。
【００４７】
したがって、体組成計１０への利用者の乗り方の変動値ｘ３は、荷重センサ５の計測データの変化に基づいて、荷重の変化の傾きの大きさ、実際の体重ｗと最大値Ｆとの差分、及び、実際の体重ｗに収束するまでの時間のいずれか１以上の計測値を過去の同種の計測値と比較することにより算出することができる。例えば、利用者の生活が乱れた場合には、体組成計１０に普段よりも雑に乗る傾向があるため、乗り方変動値ｘ３は大きくなる。したがって、健康意識レベルを計る指標として乗り方変動値ｘ３を用いることで、利用者の生活の乱れ度を考慮して健康意識レベルを判定することができる。
【００４８】
図３に戻って説明を続ける。無精度指標算出部１５は、体組成計１０が計測した種々の計測値（計測情報）から特定されるパターンに基づいて、利用者の健康意識レベルを計る指標として数値化された無精度指標Ｚを算出する。より具体的には、無精度指標算出部１５は、利用者の計測頻度・規則性、体重の変動値ｘ１、インピーダンスの変動値ｘ２、及び、体組成計１０への乗り方の変動値ｘ３の各要素指標に基づいて、無精度指標Ｚを算出する。本実施形態では、無精度指標Ｚが大きい数値であればあるほど、利用者の健康意識レベルは低いと判定される。無精度指標Ｚの具体的な算出方法については後述する。
【００４９】
レベル判定部１６は、無精度指標算出部１５において算出された無精度指標Ｚに基づいて、利用者の健康意識レベルを判定する。判定方法は、無精度指標Ｚと予め設定された閾値との比較に基づいて行われる。ただし、該閾値は、高／低の２段階で判定可能な一つの値が設定されてもよいし、例えば５段階、あるいはそれ以上の段階で判定可能なように複数の値が設定されてもよい。また、利用者の意識レベルが変化する傾向に応じて、該閾値の値を補正してもよい。すなわち、レベル判定部１６において利用者の健康意識レベルを判定するための閾値は、適宜設定可能である。判定結果は、制御部２０へ出力され、記憶部８に記憶される。
【００５０】
変動原因判定部１７は、体重変動算出部１２が算出した体重変動値ｘ１、インピーダンス変動算出部１３が算出したインピーダンス変動値ｘ２、及び乗り方変動算出部１４が算出した乗り方変動値ｘ３の少なくとも一つ以上の変動値に基づいて、その変動原因を判定する。例えば、体重の変動値ｘ１とインピーダンスの変動値ｘ２との双方が平常値よりも大きければ、その原因として過食、脱水、及び睡眠不足を推測することができる。これにより、体組成計１０は、体重変動等の変動値から推測される原因を考慮したうえで、利用者の健康意識レベルに応じたアドバイスを利用者に提供することができる。
【００５１】
以上、体組成計１０が備える各構成について説明した。体組成計１０は、上述した各構成を備え、それらが適宜協調して制御されることにより、利用者の身体に関する計測結果を単に表示するだけではなく、利用者の健康意識レベルに応じて選択あるいは作成された健康に関する情報としてのアドバイスを利用者に提供することができる。
【００５２】
続いて、体組成計１０において、利用者の健康意識レベルに応じたアドバイスを利用者に提供するための制御の詳細を説明する。
【００５３】
図５は、本実施形態の体組成計１０の制御方法の処理手順例を示すフローチャートである。
【００５４】
ステップＳ１では、制御部２０が、荷重センサ５により取得された利用者の体重計測値及び体重計測時の荷重の変化データと、生体インピーダンス算出部２１により算出された利用者のインピーダンス計測値とを、タイマ６からの時間情報と関連付けて記憶部８に記憶させる。
【００５５】
ステップＳ２では、制御部２０が、利用者の健康意識レベルを算出可能か否か判定するために、記憶部８に記憶されたデータを参照して、ステップＳ１で取得されたデータ（利用者の体重及びインピーダンスの計測値）がｎ個以上記憶されているか否かを判定する。本実施形態におけるｎ数は少なくとも２以上の値とするが、健康意識レベルを精度よく判定するためにはより多い数値が望ましい。例えば、ｎ数が３０であれば利用者の計測習慣及び／又は体重等の変動傾向がわかりやすくなる。特に、１日１回の計測を想定して、１ヶ月分の計測回数としてｎ数が３０あれば、変動傾向がより正確にわかる。
【００５６】
また、ステップＳ２で比較されるｎは、時刻帯毎に別個に設定されてもよい。例えば、利用者によっては、朝の起床後と夜の入浴後の１日２回計測するのが通常の場合もある。また、人の体重及び生体インピーダンスは時刻帯によって変化する。したがって、ｎを時刻帯毎に別個に設定することで、各時刻帯における計測習慣及び／又は体重などの変動傾向を検出することができるので、より正確に利用者の健康意識レベルを把握することができる。
【００５７】
ステップＳ２において、ステップＳ１で取得されたデータがｎ個以上であれば、ｎ個以上の取得データに基づいて健康意識レベルを判定するために、続くステップＳ３の処理が実行される。ステップＳ１で取得されたデータがｎ個未満であれば、利用者の計測頻度及び規則性を正確に算出することができないと判断して、本フローチャートで示す健康意識レベルの判定に係る処理を終了する。
【００５８】
ステップＳ３では、制御部２０が健康意識レベル判定部２２を制御して、利用者の健康意識レベルを判定する。健康意識レベルの判定に係る制御の処理手順については図６を参照して説明する。
【００５９】
図６は、本実施形態における健康意識レベル判定部２２が実行する利用者の健康意識レベルを判定するための処理（健康意識レベル判定処理）の処理手順例を示すフローチャートである。
【００６０】
ステップＳ３０では、健康意識レベル判定部２２が、利用者の計測頻度及び規則性を判定する。より具体的には、健康意識レベル判定部２２は、後述する無精度指標Ｚを算出するために、記憶部８に記憶されている利用者の計測データに関連付けられた時間情報から、図７で示すテーブルを参照することにより、利用者の計測頻度及び規則性を数値化して評価する。
【００６１】
数値化された利用者の計測頻度及び規則性は、計測頻度・規則性判定値ｂ（以下、計測習慣判定値ｂと称する）として無精度指標Ｚの算出に用いられる。なお、計測習慣判定値ｂが小さいほど、無精度指標Ｚも小さくなり、健康意識レベルは高いと判定される。
【００６２】
図７は、利用者の計測頻度及び規則性を判定するためのテーブル（以下、計測習慣テーブルと称する）の一例を示す図である。計測習慣テーブルでは、利用者の計測データから知得できる計測日の規則性と、計測時刻の規則性とが互いに対応付けられている。テーブルに示すＡ−１乃至Ｄの各マスは計測習慣判定値ｂの大きさに関連している。すなわち、計測習慣判定値ｂの値は、Ａ−１が最も小さく、Ａ−２からＡ−４、Ｂ−１からＣ−２と次第に大きくなり、Ｄが最も大きい値となるように設定される（Ａ−１＜Ａ−２＜Ａ−３＜Ａ−４＜Ｂ−１＜Ｂ−２＜Ｃ−１＜Ｃ−２＜Ｄ）。
【００６３】
図７で示す計測習慣テーブルにおいては、計測日の規則性は「あり」と「なし」に分けられており、計測日の規則性がある方が規則性がない場合に比べて、計測習慣判定値ｂが小さくなるように設定されている。例えば、週に１回の計測であっても、それが毎週月曜日であれば規則性があると判定される。また、計測日の規則性がある場合でも、計測頻度の観点から、週に７日毎日計測した場合と、週に６日以下計測した場合とで分けられており、計測習慣判定値ｂは、計測頻度が高い方（週に７日計測）がより小さくなるように設定される。
【００６４】
計測時刻の規則性も「あり」と「なし」に分けられており、計測時刻の規則性がある方が規則性がない場合に比べて計測習慣定値ｂが小さくなるように設定される。また、計測時刻の規則性がある場合でも、計測頻度の観点から、１日に２回以上計測した場合と、日に１回しか計測しない場合とで分けられており、計測習慣判定値ｂは、計測頻度が高い方（１日２回以上計測）がより小さくなるように設定される
【００６５】
すなわち、本実施形態の計測習慣テーブルによれば、計測日の規則性と計測時刻の規則性との両者を対応づけて評価することにより、利用者の計測頻度及び規則性が健康意識レベルに寄与する度合を数値化して判定することができる。なお、本実施形態の計測習慣テーブルでは、計測時刻の規則性よりも計測日の規則性がある場合の方が、計測習慣判定値ｂがより小さくなるように設定されている。これは、意識の持続性の観点から、自己の健康への関心を長期的に維持している程、健康意識レベルが高いと推察できるからである。ここで、計測日の規則性の方が、計測時刻の規則性と比較して、長期的な計測の規則性を反映している。
【００６６】
なお、図７で示す計測習慣テーブルに示す回数及び日数に係る各数値は例示であり、適宜変更してもよい。
【００６７】
図６のステップＳ３１では、健康意識レベル判定部２２が、体重、インピーダンス、及び乗り方に係る各要素指標の変動を数値化した体重変動値ｘ１、インピーダンス変動値ｘ２、及び乗り方変動値ｘ３を算出する。本実施形態における各々の変動値としては、上述したとおり各要素指標の分散値を用いてよいが、必ずしも分散値である必要はなく、例えば、要素指標それぞれの最大値と最小値との差分などでもよく、各々の計測値の変動量に比例する値（変動指標）であればよい。
【００６８】
また、各要素指標の変動値は計測時刻帯別に算出されるのがより好ましい。上述したとおり、人の体重及び生体インピーダンスは時刻帯によって変化する。例えば人の体重は、代謝と摂食とのバランス等に起因して、通常、朝よりも夜の方が数百グラム重くなることが知られている。他方、人の生体インピーダンスは、起床時の方が就寝前よりも高くなることが知られている。また、体組成計１０への乗り方も、起床後すぐと就寝直前ではその傾向が若干変化することが考えられる。したがって、上記の通り各要素指標の変動値を計測時刻帯別に算出すれば、計測時刻帯が異なることに起因する各要素指標のブレを排除することができるので、利用者の健康意識レベルをより正確に判定することができる。
【００６９】
また、例えば、３０回計測した場合において、３回は朝に計測され、２７回は夜に計測されている等、計測時刻帯に大きな偏りがあるときには、多数計測された計測時刻帯を特定し、特定した計測時刻帯の計測値のみから各要素指標の変動値を算出してもよい。
【００７０】
このようにして、ステップＳ３１において各要素指標の変動値（ｘ１、ｘ２、及びｘ３）が算出されると、健康意識レベル判定部２２は、各要素指標の変動値に基づいて無精度指標Ｚを算出するために、ステップＳ３２の処理を実行する。
【００７１】
ステップＳ３２では、健康意識レベル判定部２２が無精度指標Ｚを算出する。無精度指標Ｚは、健康意識レベルを計る指標として、利用者の自己の健康を増進するための生活改善行動に対する無精度合、無関心度合を数値化したものである。無精度指標Ｚは、上述の計測習慣判定値ｂと、各要素指標の変動値ｘ１、ｘ２、ｘ３とに基づいて算出される。無精度指標Ｚは、例えば次式（１）を用いて算出される。
【００７２】
【数１】
2018166886.tif 000003
【００７３】
ただし、式（１）中のＺは無精度指標、ｘ１は体重変動値、ｘ２はインピーダンス変動値、ｘ３は乗り方変動値、ｂは計測習慣判定値、ａ１,ａ２,ａ３は各要素指標に対して重みづけをするための係数である。また、（ａ１ｘ１＋ａ２ｘ２＋ａ３ｘ３）を割る数値の３は、要素指標の数である。
【００７４】
本実施形態における係数ａ１，ａ２，ａ３は、上記の各要素指標の健康意識レベルへの寄与度を考慮して別個に設定されてもよいし、寄与度を考慮するのに加えて、或いは代えて、計測頻度・規則性を考慮して設定されてもよい。
【００７５】
係数ａ１，ａ２，ａ３が、各要素指標の健康意識レベルへの寄与度を考慮して設定される場合、例えば各要素指標の健康意識レベルへの寄与度が同じであれば、３つの要素指標の数値を均一に扱うことができるように、要素指標毎の平均値の相対的な大小差を補償するような係数が設定される。また特定の要素指標の健康意識レベルへの寄与度を大きく或いは小さくしたい場合は、平均値の相対的な大小差を補償したうえで、対象の要素指標毎に係数の値の大小を適宜調整すればよい。
【００７６】
また、係数ａ１，ａ２，ａ３が、各要素指標の計測頻度・規則性を考慮して設定される場合は、計測習慣判定値ｂと同様に、図７に示すテーブルを参照してａ１，ａ２，ａ３の各係数の値を設定してもよい。ただし、本実施形態の体組成計１０によれば、各要素指標は同じタイミングで計測されるので、ａ１，ａ２，ａ３の各係数における計測頻度・規則性に基づく大小差は原則生じない。しかしながら、各係数がこのように設定されることにより、利用者の計測頻度・規則性が無精度指標Ｚの大小に大きく作用するので、利用者の計測頻度・規則性をより重要視して、利用者の健康意識レベルを判定することができる。
【００７７】
ステップＳ３３では、健康意識レベル判定部２２は、利用者の健康意識レベルを判定するために、無精度指標Ｚが所定の閾値以上か否か判定する。本実施形態では、利用者の健康意識レベルは高いか低いかの２段階で判定されるので、該閾値は予め定められた一つの値である。この場合の閾値は、例えば、一般成人の平均値を考慮した値、又は利用者の過去データにおける所定期間の平均値などに基づいて、適宜設定される。
【００７８】
なお、該閾値は無精度指標Ｚの算出方法に応じて適宜変更されてもよい。例えば、無精度指標Ｚを、式（１）に示すように、（ａ１ｘ１＋ａ２ｘ２＋ａ３ｘ３）を要素指標の数（３）で割らずに算出し、その代わりに、その要素指標の数（３）を該閾値に乗じた値に該閾値を変更してもよい。
【００７９】
また、上記式（１）に代えて、例えば以下式（２）を用いて無精度指標Ｚを算出してもよい。
【００８０】
【数２】
2018166886.tif 000004
【００８１】
ただし、ｃ１,ｃ２,ｃ３は、各要素指標に対して重みづけをするための母数である。
【００８２】
式（２）によれば、式（１）で示す係数ａ１，ａ２，ａ３に代えて、各要素指標の母数ｃ１,ｃ２,ｃ３の値を変更することにより、各要素指標の健康意識レベルへの寄与度を調整することができる。例えば、インピーダンス変動値ｘ２の健康意識レベルへの寄与度を大きくしたい場合は、ｃ２の値を小さくすればよい。
【００８３】
ステップＳ３３において、健康意識レベル判定部２２は、無精度指標Ｚが閾値以上であれば、利用者の健康意識レベルは低いと判定して（ステップＳ３４）、健康意識レベル判定処理を終了する。
【００８４】
他方、無精度指標Ｚが閾値より小さければ、健康意識レベル判定部２２は、利用者の健康意識レベルは高いと判定して（ステップＳ３５）、健康意識レベル判定処理を終了する。
【００８５】
以上が図５で示すフローのステップＳ３において実行される健康意識レベル判定処理の詳細である。以下、図５に戻って説明を続ける。
【００８６】
ステップＳ４では、変動原因判定部１７が、健康意識レベル判定処理において算出した各変動値（ｘ１、ｘ２、ｘ３）に基づいて、各要素指標が変動した原因（変動原因）を判定する。変動原因は、利用者の生活（行動）及び身体の状態の少なくとも１つを推定することにより特定される。また、変動原因は、一つの要素指標から特定されてもよいし、複数の要素指標から特定されてもよい。例えば、一つの要素指標である体重変動が大きい場合は、過食又は睡眠不足などが考えられる。また、体重変動とインピーダンス変動とを対応付けて判定することで、より詳細な変動原因を判定することもできる（図８参照）。
【００８７】
図８は、体重及びインピーダンス変動の変動原因を判定する際に用いられる判定テーブル（変動原因判定テーブル）の一例を示す図である。変動原因判定部１７は、図８で示す変動原因判定テーブルを参照して、体重及びインピーダンスの変動原因を判定する。
【００８８】
図８で示す変動原因判定テーブルにおいては、体重変動とインピーダンス変動は共に、各々の変動量が平常より大きいか平常通りかの二つに分けられている。そして、変動量が平常より大きい場合は、その変動が平常よりマイナス側に変動しているか、プラス側に変動しているかの二つにさらに分けられる。すなわち、図８で示す変動原因判定テーブルでは、体重変動およびインピーダンス変動がそれぞれ３通りに分けて対応付けられているので、９通りのカテゴリから変動原因を判定することができる。
【００８９】
なお、変動量の大小を判定する基準となる「平常」の値は、利用者の身長及び性別等を考慮して、例えば一般成人男性の平均値から予め設定されてもよいし、利用者が計測した過去の所定期間における計測値の平均値から設定されてもよい。
【００９０】
図８で示す変動原因判定テーブルによれば、体重変動とインピーダンス変動とが共にプラス側に大きく変動していれば、その変動原因は脱水、過食、及び／又は睡眠不足であると判定することができる。また、このような判定がなされれば、その変動原因から、利用者の生活において健康を害するようなイベントがあったことが推察される。例えば、変動原因が脱水、過食、及び／又は睡眠不足であった場合は、前日に、アルコール摂取、過食、及び／又は睡眠不足を引き起こす飲み会等のイベントがあったと推察することができる。
【００９１】
また、イベントだけではなく、アルコール摂取、過食、及び／又は睡眠不足が続いている場合は、ストレスを多く抱えている傾向がある等、利用者の精神状態等を推察することもできる。
【００９２】
このようにして判定された変動原因、及び、変動原因から推察されるイベント等に関する情報は、健康意識レベルの判定結果とともに記憶部８に一旦格納され、ステップＳ５において表示部３に表示されるアドバイスの内容に反映される。
【００９３】
ステップＳ５では、制御部２０が、ステップＳ３において判定された利用者の健康意識レベルに応じたアドバイスを表示部３に表示する。利用者の健康意識レベル別に表示されるアドバイスは、例えば図９に示すとおりである。
【００９４】
図９は、健康意識レベル別に利用者へ提示するアドバイスの一例を示す図である。図示するとおり、本実施形態において利用者に提示されるアドバイスは、健康意識レベルに依らない基本的アドバイスと、利用者の健康意識レベルに応じて追加される追加アドバイスとで構成される。
【００９５】
上述の追加アドバイスは、健康意識レベルに応じてその情報量と内容が変わっている。具体的には、健康意識レベルが高ければ、情報量は多くなり、且つその内容はより専門性が高いものとなる。他方、健康意識レベルが低ければ、情報量は少なく、またその内容の専門性は低くなる。なお、専門性が高くなるほど情報の内容がより具体的になる一方で、専門性が低くなるほど情報の内容がより汎用的になる。
【００９６】
利用者に提示するアドバイスをこのように設定することで、健康意識レベルが高まれば高まるほど、より専門性の高いアドバイスがより多く提供される。したがって、健康意識レベルが高く、自己の健康改善に対するより有効な指針又は知識を欲する利用者は、自己の生活改善に対するモチベーションを維持、向上しやすくなる。他方、健康意識レベルが低い人に専門性が高い情報を多く提供してしまうと、利用者が重荷に感じる等して、自己の生活改善に対するモチベーションを下げてしまう場合がある。そのため、健康意識レベルが低い人に専門性の高い情報を多く提供することを抑制することで、利用者の生活改善に対するモチベーションを下げてしまうような事態を排除することができる。
【００９７】
このように、健康意識レベルに応じてアドバイスを変更することで、利用者の健康意識レベルに合わせたアドバイスを利用者に提供することができるので、利用者の健康増進、或いは生活の乱れを改善するためのモチベーションの維持・向上をより有効に図ることができる。
【００９８】
以下、本実施形態の作用効果について説明する。
【００９９】
本実施形態によれば、体組成計１０（情報処理装置）が備える制御部２０は、利用者が自己の身体情報を計測する際の計測習慣に関する計測情報を、荷重センサ５と、タイマ６と、生体インピーダンス計測部７とから取得する。そして、制御部２０は、その計測情報に基づいて利用者の自己の健康に対する意識レベル（健康意識レベル）を判定し、表示部３を介して健康意識レベルに応じた健康に関する情報を利用者に報知する。
【０１００】
これにより、本実施形態の体組成計１０は、利用者の健康意識レベルに応じた健康に関する情報を利用者に提供することができるので、利用者の生活行動改善のためのモチベーションの維持、向上を有効に図ることができる。
【０１０１】
また、本実施形態によれば、制御部２０が取得する計測情報には、利用者が自己の計測情報を計測する際の計測頻度及び規則性の少なくともいずれか一方を示すパターン指標が含まれる。これにより、健康意識レベル判定部２２において利用者の健康意識レベルを判定する際に、利用者の計測習慣を示す計測頻度又は規則性を考慮することができる。
【０１０２】
また、本実施形態によれば、上記取得手段が取得する計測情報には、利用者が自己の身体情報を時系列に計測した複数の計測値に基づいて算出される上記身体情報の変動量を示す変動指標が含まれる。これにより、健康意識レベル判定部２２において利用者の健康意識レベルを判定する際に、利用者の身体、或いは行動の所定期間における実際の変化状況を考慮することができる。
【０１０３】
なお、上記身体情報には、利用者の体重及び生体インピーダンスの少なくともいずれか一方が含まれるので、健康意識レベル判定部２２は、利用者の体重及びインピーダンスの少なくともいずれか一方の変動量（体重変動値ｘ１、インピーダンス変動値ｘ２）を考慮して利用者の健康意識レベルを判定することができる。
【０１０４】
また、上記計測情報には、利用者が自己の体重を計測する際の荷重の変化を示す乗り方指標が含まれる。これにより、健康意識レベル判定部２２は、利用者が体組成計１０に乗って自己の身体情報を計測する際の行動の変化（乗り方変動値ｘ３）を考慮して利用者の健康意識レベルを判定することができる。
【０１０５】
また、本実施形態によれば、上記計測情報から特定されるパターン（傾向）に基づいて、利用者の健康意識レベルを計る指標としての無精度指標Ｚを算出する無精度指標算出手段を構成する無精度指標算出部１５を備える。そして、健康意識レベル判定部２２は、無精度指標Ｚに基づいて利用者の健康意識レベルを判定する。
【０１０６】
これにより、利用者の身体及び行動に係る計測情報から導き出される計測結果のパターンを数値化することができるので、健康意識レベルをより定量的に評価することができる。また、各々の計測情報を、健康意識レベルを計る指標としての無精度指標Ｚとしてまとめて数値化できるので、健康意識レベルを計る要素指標の数の増減に容易に対応することができる。
【０１０７】
また、無精度指標算出部１５は、上記計測情報に対して、健康意識レベルへの寄与度に応じた重みづけを行う。これにより、各々の計測情報から算出される変動値をそのまま用いるのに比べて、より正確に利用者の健康意識レベルを判定することができる。
【０１０８】
また、本実施形態では、健康意識レベル判定部２２が判定した健康意識レベルに応じて、表示部３に表示される健康に関する情報を変更する制御部２０を備える。これにより、利用者の健康意識レベルに合わせた健康に関するアドバイス等を利用者に提供することができるので、利用者の生活行動改善のためのモチベーションの維持、向上を有効に図ることができる。
【０１０９】
また、本実施形態では、上記計測情報の変動原因を判定する変動原因判定手段を構成する変動原因判定部１７を備える。そして、表示部３は、変動原因判定部１７が判定した変動原因に応じた健康に関するアドバイスを利用者に提供する。これにより、利用者の健康意識レベルに合わせた、より具体的な健康に関するアドバイスを利用者に提供することができるので、利用者の生活行動改善のためのモチベーションの維持、向上をより有効に図ることができる。
【０１１０】
以上、本発明の実施形態について説明したが、上記の実施形態は本発明の適用例の一部を示したに過ぎず、本発明の技術的範囲を上記実施形態の具体的構成に限定する趣旨ではない。本発明は、例えば、以下のような変形例も含む。
【０１１１】
＜変形例＞
例えば、上述した健康意識レベルは、利用者が自己の身体情報を計測する際の計測頻度及び規則性と、体重、インピーダンス、及び乗り方の変動値とから算出された無精度指標Ｚから判定されると説明したが、必ずしもこれに限定されない。例えば、本発明に係る健康意識レベルは、利用者の計測頻度及び規則性のいずれか一方のみから判定されてもよい。その場合は、例えば、利用者の計測頻度が週に３回以上か未満かの２段階に分けて、計測頻度が週に３回以上であれば健康意識レベルが高く、週に３回未満であれば健康意識レベルが低いと判定してもよい。
【０１１２】
また、上述した無精度指標Ｚの算出において用いた要素指標は、体重、インピーダンス、及び乗り方の３つに限定する必要はなく、少なくとも１つ以上であればよいし、他の要素指標を追加あるいは代用してもよい。
【０１１３】
他の要素指標としては、例えば、利用者の心拍、活動量、睡眠（睡眠時間、就寝時間、起床時間、睡眠の質）、スイッチへの反応度、体組成計１０の扱い方などを用いてもよい。これらの要素指標は公知の方法で計測すればよい。また、他の公知の計測機器を用いた場合、体組成計１０は、該計測機器による計測データを通信等により取得して、各要素指標の変動値を算出することができる。
【０１１４】
また、スイッチへの反応度は、例えば、表示部３にスイッチ押下の指示を表示して、利用者が該指示に応じて操作部４のスイッチを押下するまでの時間（反応時間）から算出することができる。また、体組成計１０の扱い方は、体組成計１０が加速度センサをさらに備えることで、例えば体重を計るために体組成計１０を所定の位置に移動させる際の振動及び移動速度などから定量的に計測することができる。
【０１１５】
また、上述の実施形態において説明した荷重センサ５は、図４で示した荷重変化データから計測できる上記変動値（乗り方変動値ｘ３）の算出に用いるだけでなく、左右どちらの足を先に載せたかどうか（効き足）、姿勢（立位姿勢）に関連する情報としての重心位置（荷重バランス）又は重心動揺を要素指標として取得するように構成することもできる。
【０１１６】
このような要素指標を取得したい場合は、荷重センサ５を、例えば、矩形の体組成計１０の左右に計２つ、或いは、四隅近辺に計４つ配置する等すればよい。このような構成において、荷重センサ５の各々が荷重を計測することにより、利用者が体組成計１０に乗る際の効き足、利用者の重心位置、及び重心動揺を計測することができる。
【０１１７】
なお、要素指標を４つ以上用いて無精度指標Ｚを算出する場合は、上記（１）式に代えて、以下（３）式を用いればよい。
【０１１８】
【数３】
2018166886.tif 000005
【０１１９】
ただし、（３）式中に示すｎは、要素指標の数とする。
【０１２０】
また、上述した実施形態において健康意識レベルを判定するために用いられた閾値は、例えば以下のように設定することもできる。すなわち、該閾値は、健康意識レベルを無精度指標Ｚに基づいて段階的に判定するだけでなく、多数のタイプに分けて判定できるように要素指標ごとに設定されてもよい。閾値をこのように設定することにより、利用者の健康意識レベルを、各要素指標の判定結果の組み合わせで多様なタイプに分類することができる。
【０１２１】
例えば、計測頻度及び規則性に係る計測習慣判定値ｂを段階的に分けた９通りと、体重変動の有り無しで分けた２通りと、インピーダンス変動の有り無しで分けた２通りと、乗り方変動の有り無しで分けた２通りとを組み合わせることにより、利用者の健康意識レベルを７２通りに分けて判定することもできる。
【０１２２】
また、他の公知の方法により判定される利用者の体型及びボディバランス等の判定結果を組み合わせることで、利用者の健康意識レベルを更に多様なタイプに分類してもよい。
【０１２３】
また、計測頻度及び規則性の変化傾向、要素指標としての体重、インピーダンスの変動傾向、及び、利用者の乗り方の癖等からは、利用者の健康意識レベルとともに、利用者の生活リズム、及び生活の乱れ度を推察することもできる。したがって、健康意識レベルとともに、利用者の生活リズム及び生活の乱れ度を考慮したアドバイスを利用者に提供してもよい。
【０１２４】
また、表示部３に表示する利用者の健康に関する情報は、図９で示すようなアドバイスに限定されず、例えば、健康意識レベルの判定結果のみ、あるいは無精度指標Ｚに係る点数のみを表示してもよい。また表示態様も、数値又は文字を単に表示するだけでなく、バーグラフ、図形、及び／又は動物などのキャラクター等が健康意識レベルに応じて変化するように表示してもよい。
【０１２５】
また、特に毎日計測を行うような利用頻度が高い利用者に対しては、表示するアドバイス又は図形等を日毎に変化させる等して、利用者を飽きさせないような工夫をしてもよい。また、例えば、健康意識レベルが向上したと判定された時にのみ表示される、３００日間欠かさず計測した場合にのみ表示される等、ある特定のタイミングにのみ出現するレアな言葉又はキャラクター等を設定してもよい。このように、表示部３の表示内容を、利用者の健康意識レベルに資する計測習慣及び／又は健康改善状況と連動して変化させることで、日々の計測にゲーム性を加えることができるので、利用者をより飽きさせずに、自己の健康改善に対するモチベーションの維持・向上を図ることもできる。
【０１２６】
また、表示部３は、体組成計１０に一体的に備わる構成である必要は必ずしもなく、利用者が有するスマートフォン等の通信端末の画面を代用してもよい。その場合、該通信端末は、体組成計１０が判定した健康意識レベル、及びそれに応じたアドバイス等に関するデータを通信にて受信して、該画面に表示すればよい。また、該通信端末は、体組成計１０及び他の計測機器が計測した計測情報を取得して、該通信端末内で、取得した計測情報から利用者の健康意識レベルを判定し、判定結果に応じた健康に関する情報を該画面に表示してもよい。
【０１２７】
また、本願発明に係る情報処理装置は、体組成計１０の機能として実現されていることに限定されない。例えば、該情報処理装置は、体組成計１０と直接又は間接的に通信可能なサーバ、又は、スマートフォン等の他の装置の機能によって実現されてもよい。
【０１２８】
なお、報知手段として説明した表示部３は一例であり、健康に関する情報を利用者に伝達可能な手段であれば、音声又は振動等を用いてもよく、特に限定されない。
【符号の説明】
【０１２９】
１、２  電極
３  表示部（報知手段）
４  操作部
５  荷重センサ
６  タイマ
７  生体インピーダンス計測部
８  記憶部
１０  体組成計（情報処理装置）
１５  無精度指標算出部（無精度指標算出手段）
１７  変動原因判定部（変動原因判定手段）
２０  制御部（取得手段、判定手段、制御手段）
２１  生体インピーダンス算出部
２２  健康意識レベル判定部（判定手段）
Ｓ１、Ｓ３０、Ｓ３１  （取得ステップ）
Ｓ３、Ｓ３３〜３５  （判定ステップ）
Ｓ５  （報知ステップ）
【図１】
2018166886.tif 000006
【図２】
2018166886.tif 000007
【図３】
2018166886.tif 000008
【図４】
2018166886.tif 000009
【図５】
2018166886.tif 000010
【図６】
2018166886.tif 000011
【図７】
2018166886.tif 000012
【図８】
2018166886.tif 000013
【図９】
2018166886.tif 000014